(57)【特許請求の範囲】
【請求項１】
鋳物製のフレームを有するピアノであって、チューニングピンが挿入されるピン穴が形成されている該フレームの平板部の表面に、張弦すべき弦の線番が鋳込まれていることを特徴とするピアノ。
【請求項２】
チューニングピンが挿入されるピン穴が形成されている鋳物製のフレームの平板部の表面に、張弦されるべき弦の線番を鋳込み、以て張弦されるべき弦の線番を表示することを特徴とするピアノの弦の線番表示方法。
【発明の詳細な説明】
【０００１】
【発明の属する技術分野】
本発明は、複数種類の弦が張られるピアノ及びピアノの弦の線番表示方法に関し、特に張弦すべき弦の線番を表示する技術に関する。
【０００２】
【従来の技術】
アコースティックピアノでは、限られた弦長から所定の高さの音を生み出すために、高音部では細い弦が、低音部になるに従ってより太い弦が用いられている。このうち、中高音部では例えば１５種類の太さの芯線が、低音部では例えば６種類の太さの巻線が、それぞれ段階的に使用される。巻線は、芯線に銅線が巻かれることにより構成されている。芯線は高炭素鋼で作られた規格品であるミュージックワイヤで構成され、その太さが細いものから順に、１３番（０．７７５ｍｍφ）、１３  １／２番（０．８００ｍｍφ）、１４番（０．８２５ｍｍφ）、・・・２０番（１．１２５ｍｍφ）というように、半番毎に太さが増加する１５段階の線番で特定される。また、巻線は、その太さが細いものから順に、２１番（１．１７５ｍｍφ）、２２番（１．２２５ｍｍφ）、・・・２６番（１．６００ｍｍφ）というように、１番毎に太さが増加する６段階の線番で特定される。
【０００３】
鍵とこれに対応して張弦すべき弦の線番との関係は、ピアノの機種毎に異なり、各々の設計仕様で定められている。例えば、最高音から６鍵毎ぐらいに半番ずつ太くなる弦が張られ、中音では４〜２鍵毎に、低音では２鍵毎に弦の太さが増加するといった具合である。このように、鍵と張弦すべき弦の線番との関係がピアノの機種毎に異なるので、組立時や断線の修理時等において、各鍵に対応する弦として何番線の弦を張ればよいか分からない。従って、鍵と張弦すべき弦の線番との関係を表す何らかの表示が必要になる。
【０００４】
従来、鍵に対応して張弦すべき弦の線番を表示するために以下の方法が採られている。第１の方法は、ピアノの駒上に張弦すべき弦の線番をその線番が変わるごとに捺印（スタンプ）する方法である。例えばグランドピアノの場合は、図５（Ａ）の平面図に示すように、ピアノを斜めに横断するように形成された長駒１１上に張弦すべき弦の線番Ｓが捺印されている。なお、線番Ｓは、通常のピアノでは、長駒１１上にのみ表示されるが特殊なピアノでは短駒１２に表示される場合もある。図５（Ｂ）は、長駒１１の一端部（図５（Ａ）の丸印Ｂの部分）を拡大して示す図であり、図５（Ｃ）は、弦１３を張った状態を示す図である。組立や断線修理の時は、この線番Ｓを参照することにより張弦すべき弦の線番を確認できる。図５（Ａ）〜（Ｃ）に示した例では、線番Ｓの位置及びその高音部側に、１３番の弦１３を張ればよいことがわかる。
【０００５】
アップライトピアノの場合も上記グランドピアノと略同様である。即ち、図６（Ａ）の正面図に示すように、ピアノを斜めに横断するように形成された長駒１１上に張弦すべき弦の線番Ｓが捺印されている。なお、線番Ｓは、通常のピアノでは、長駒１１上にのみ表示されるが特殊なピアノでは短駒１２に表示される場合もある。図６（Ｂ）は、長駒１１の一端部（図６（Ａ）の丸印Ｂの部分）を拡大して示す図であり、図６（Ｃ）は、弦１３を張った状態を示す図である。組立や断線修理の時は、この線番Ｓを参照することにより張弦すべき弦の線番を確認できる。図６（Ａ）〜（Ｃ）に示した例では、線番Ｓの位置及びその高音部側に、１３番の弦１３を張ればよいことがわかる。
【０００６】
また、第２の方法は、例えば特開平８−３０５３４２号公報に示されているように、ピアノの芯線番手表示装置によって弦の線番を表示する方法である。この芯線番手表示装置は、キーナンバーとこれに対応して張弦すべき芯線の番手とを一覧表として、ピアノの少なくとも所定の１箇所に表示するように構成されている。この芯線番手表示装置によれば、張弦すべき弦の番号を、簡単、正確に、且つ時間が経過しても一目瞭然に表示できるという利点を有する。
【０００７】
【発明が解決しようとする課題】
しかしながら、上述した第１の方法には、次のような欠点がある。即ち、設計仕様と照合しながら、駒上の複数の位置に弦の線番を捺印するという作業が必要であるため、捺印作業に時間がかかり、コストアップの原因になるという問題がある。また、設計仕様と照合しながら捺印作業を行うので、捺印の間違いも生じやすい。このような問題を解消するために、駒の上に載置して使用される治具であって、押印する場所が切り抜かれた治具が使用されている。しかし、治具の作製に手間とコストがかかるという問題がある。また、大型のピアノでは長駒の位置まで手が届かないので、作業者が移動して捺印を行わなければならず、捺印作業にかかる時間は多大になる。更に、捺印により線番を表示するので、経年変化によりインクの色が変化したり、埃などで長駒表面が汚れると読み難くなるという問題もある。
【０００８】
また、上記第２の方法では、キーナンバと張弦すべき芯線の番手との対応が表示されているだけであるので、キーナンバとチューニングピンとの対応を直感的に知ることができず、作業性に劣るという問題がある。
【０００９】
本発明は、このような問題を解消するためになされたものであり、張弦すべき弦の線番を簡単且つ正確に表示することができるピアノ及びピアノの弦の線番表示方法を提供することを目的とする。
【００１０】
【課題を解決するための手段】
本発明の第１の態様に係るピアノは、上記目的を達成するために、
鋳物製のフレームを有するピアノであって、チューニングピンが挿入されるピン穴が形成されている該フレームの平板部の表面に、張弦すべき弦の線番が鋳込まれていることを特徴とする。
【００１１】
また、本発明の第２の態様に係るピアノの線番表示方法は、
チューニングピンが挿入されるピン穴が形成されている鋳物製のフレームの平板部の表面に、張弦されるべき弦の線番を鋳込み、以て張弦されるべき弦の線番を表示することを特徴とする。
【００１２】
本発明によれば、チューニングピンが挿入されるピン穴が形成されたフレームの平板部の表面に弦の線番が鋳込まれているので、従来、手作業で行っていた捺印工程を省略できるので、ピアノの組立時間を短縮できる。また、手作業時に必要な治具も不要であるので治具作製の手間が省ける。また、鋳込みにより線番を表示するので、捺印のような経年変化がなく、また埃などが多少積もっても線番が読み難くなることがない。
【００１３】
更に、線番は、チューニングピンが挿入されるピン穴が形成されたフレームの平板部の表面に鋳込まれるので、グランドピアノの場合は大屋根を開けることにより、アップライトピアノの場合は、上前板や下前板を外さなくても屋根前を開けることにより線番を視認できる。従って、断線時の線番確認が容易になる。
【００１４】
【発明の実施の形態】
以下、本発明の実施の形態を、図面を参照しながら詳細に説明する。
【００１５】
図１は、本発明が適用されたグランドピアノのフレームを示す。このフレームは、肉厚８ｍｍ〜１５ｍｍ程度の平板部と、肉厚２０ｍｍ程度の骨格部とを有する鋳物により構成されている。このフレームは支柱と共に弦の張力を支える役割を果たすと同時に、弦と一体となって振動し、特に高音部の音質に微妙な影響を与える。
【００１６】
このフレームの平板部の所定部分（図１中の斜線で示す部分、以下「平板部Ａ」という）には、チューニングピンを挿入するための複数のピン穴（図示は省略してある）が形成されている。この平板部Ａの裏面側にはピン板が設けられるようになっており、チューニングピンは、ピン穴を介してピン板に打ち込まれる。この平板部Ａは、組み立てられた後は鍵盤に近い部分になる。従って、大屋根を開けることにより平板部Ａを見ることができるので、この平板部Ａに形成される線番を視認できる。
【００１７】
図２は、フレームの平板部Ａの一部（図１の丸印Ｃの部分）を拡大して示す図である。平板部Ａには、上述したように、複数のピン穴２０が形成されており、各ピン穴２０に挿入されるチューニングピンに巻き付けられるべき弦の線番Ｓが、ピン穴２０の傍らに鋳込みによって形成されている。線番Ｓは、平板部Ａの表面に凸状になるように形成してもよいし、凹状になるように形成してもよい。図２に示した例では、符号５０で示される領域に含まれるピン穴に挿入されるチューニングピンには、線番「１３」の弦が巻き付けられ、符号５１で示される領域に含まれるピン穴に挿入されるチューニングピンには、線番「１３  １／２」の弦が巻き付けられるべきことを表している。
【００１８】
なお、線番Ｓは、通常のグランドピアノの場合は、芯線が張弦される部分（従来の長駒１１上に張弦される部分）に鋳込むだけでよいが、特殊なピアノの場合は、巻線が張弦される部分（従来の短駒１２上に張弦される部分）にも鋳込むようにしてもよい。
【００１９】
このフレームは、例えば生型鋳造法を用いて以下の手順で作製される。即ち、先ず、フレームと同じ形状をした「型」を木材や樹脂等で作製する。この際、型の上記平板部Ａに対応する部分には線番Ｓを表す凸部又は凹部が形成される。次いで、型を鉄枠の中に入れ、固まりやすくするために接着剤や水分が含まれた砂（鋳砂という）を入れる。そして、この鋳砂を押し固めてフレームの形状を有する砂型を作製する。この砂型は、フレームの表と裏を別々に、上型と下型に分けて作製される。
【００２０】
次いで、この上型と下型とを合わせて砂型に空けた穴から約１５００゜Ｃの鋳鉄（溶湯）を流し込んで冷やす。これによりフレームの原型が出来あがる。このようにして作製されたフレームの原型に仕上げ加工や穴あけ、塗装が施されることによりフレームが完成する。
【００２１】
なお、フレームの製造には、上記生型鋳造法に限らず、例えばＶプロセス（Ｖａｃｃｕｍｅ  Ｓｈｉｅｌｄ  Ｍｏｌｄｉｎｇ  Ｐｒｏｃｅｓｓ）を用いることができる。このＶプロセスは、砂型を作る工程が上記生型鋳造法と異なる。即ち、この砂型を作る工程では、外的な力によって砂を固める代わりに、砂全体をビニールシートで覆い、その中の空気を抜くことによって砂を固めて型が作製される。このＶプロセスによれば、生型鋳造法に比べて細かい砂を使うことができ、溶湯がビニールを溶かすとき瞬間的に砂との間にビニールが滲み込んで膜を作り、これが溶湯の流れをよくするために表面がより滑らかに仕上がる。また、型が直接砂に接触しないので、摩耗がなく型の耐久性が増すという利点もある。
【００２２】
以上は本発明をグランドピアノに適用した場合の例であるが、本発明はアップライトピアノにも同様に適用できる。以下では、上述したグランドピアノに対応する部分には同一の符号を用いて説明する。図３は、アップライトピアノのフレームを示す。このフレームの平板部の所定部分（図３中の斜線で示す部分、以下「平板部Ａ」という）には、チューニングピンを挿入するための複数のピン穴（図示は省略してある）が形成されている。この平板部Ａの裏面側にはピン板が設けられるようになっており、チューニングピンは、ピン穴を介してピン板に打ち込まれる。この平板部Ａは、組み立てられた後は屋根前及び屋根後に近い部分になる。従って、上前板や下前板を外さなくても屋根前を開けることにより平板部Ａを見ることができるので、この平板部Ａに形成される線番を視認できる。
【００２３】
図４は、フレームの平板部Ａの一部（図３の丸印Ｃの部分）を拡大して示す図である。平板部Ａには、上述したように、複数のピン穴２０が形成されており、各ピン穴２０に挿入されるチューニングピンに巻き付けられるべき弦の線番Ｓが、ピン穴２０の傍らに鋳込みによって形成されている。線番Ｓは、平板部Ａの表面に凸状なるように形成してもよいし、凹状になるように形成してもよい。図４に示した例では、符号５０で示される領域に含まれるピン穴に挿入されるチューニングピンには、線番「１３」の弦が巻き付けられ、符号５１で示される領域に含まれるピン穴に挿入されるチューニングピンには、線番「１３  １／２」の弦が巻き付けられるべきことを表している。
【００２４】
なお、線番Ｓは、通常のアップライトピアノの場合は、芯線が張弦される部分（従来の長駒１１上に張弦される部分）に鋳込むだけでよいが、特殊なピアノの場合は、巻線が張弦される部分（従来の短駒１２上に張弦される部分）にも鋳込むようにしてもよい。
【００２５】
なお、アップライトピアノのフレームの作製方法は、上述したグランドピアノと同一の方法を用いることができる。
【００２６】
【発明の効果】
以上詳述したように、本発明によれば、張弦すべき弦の線番を簡単且つ正確に表示することができるピアノ及びピアノの弦の線番表示方法を提供できる。
【図面の簡単な説明】
【図１】本発明の実施の形態に係るグランドピアノに使用されるフレームの構成を示す平面図である。
【図２】図１の一部を拡大して示す図である。
【図３】本発明の実施の形態に係るアップライトピアノに使用されるフレームの構成を示す平面図である。
【図４】図３の一部を拡大して示す図である。
【図５】従来のグランドピアノにおける線番の表示を説明するための図である。
【図６】従来のアップライトピアノにおける線番の表示を説明するための図である。
【符号の説明】
２０    ピン穴
Ａ    平板部
Ｓ    線番
【図１】
0003558261.tif 000002
【図２】
0003558261.tif 000003
【図３】
0003558261.tif 000004
【図４】
0003558261.tif 000005
【図５】
0003558261.tif 000006
【図６】
0003558261.tif 000007